【事件の表示】
　平成　９年特許願第２０３０５５号「情報処理システム、情報処理装置、記録媒体」拒絶査定不服審判事件〔平成１１年　２月２６日出願公開、特開平１１−　５５２０１〕について、次のとおり審決する。
【結　論】
　本件審判の請求は、成り立たない。
【理　由】
１．手続きの経緯
　　
　本願は、平成９年７月２９日の出願であって、平成１８年６月２０日付けで拒絶査定がなされ、これに対して平成１８年７月２４日に拒絶査定に対する審判が請求されるとともに、同年８月２２日付けで手続補正がなされたものである。
　　
２．平成１８年８月２２日付けの手続補正についての補正却下の決定
　　
［補正却下の決定の結論］
　　
　平成１８年８月２２日付け手続補正（以下、「本件補正」という。）を却下する。
　　
［理由］
　　
（１）補正後の本願発明
　　
　本件補正により、補正前の特許請求の範囲の請求項１０は補正後の請求項８として次のとおり補正された。
　　
　「【請求項８】　検索サーバと情報の送受信を行う通信手段と、
　前記通信手段が、放送されたコンテンツの関連情報を検索するための検索情報を、ネットワークを介して前記検索サーバに送信し、前記検索サーバから、前記検索情報に対応する放送時刻に放送されたコンテンツのタイトルを含む関連情報を受信し、前記関連情報より選択された一の関連情報を前記検索サーバに送信し、前記検索サーバから、前記一の関連情報に対応するコンテンツデータとコンテンツのタイトルを受信するように制御する制御手段と
　を備え、
　前記制御手段は、前記一の関連情報に対応するコンテンツデータとコンテンツのタイトルを記録媒体に記録するように制御する
　ことを特徴とする情報処理装置。」
　　　
　上記補正は、補正前の請求項１０に記載した発明を特定するために必要な事項である「制御手段」に関し、「コンテンツデータを受信するように制御する」とあるのを「コンテンツデータとコンテンツのタイトルを受信するように制御する」と限定し、また、当該「制御手段」に関し、「前記制御手段は、前記一の関連情報に対応するコンテンツデータとコンテンツのタイトルを記録媒体に記録するように制御する」との限定を付加するものであって、特許法第１７条の２第４項第２号の特許請求の範囲の減縮を目的とするものに該当する。
　
　そこで、本件補正後の前記請求項８に記載された発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　　
（２）引用例
　　
　原査定の拒絶の理由に引用された特表平７−５００７１５号公報（以下、「引用例」という。）には、図面とともに、以下の事項（ア）〜（ク）が記載されている。
　　
（ア）
「発明の分野
　本発明は、一般にラジオやテレビを含む放送メディアや印刷メディア（雑誌や新聞など）に関するものであり、特にこのようなメディアの番組を識別して番組に関連する補助情報を取り出すメディアに関するものである。
　　
　発明の背景
　メディアは次のような問題を長い間抱えていた。
　（Ａ）ラジオの聴取者がある曲に関心を持ちそれを買おうと思っても、曲名や演奏者がわからないことがある。ラジオ局のアナウンサーが曲名や演奏者など歌に関するさまざまな情報をアナウンスしないこともあるし、それらの情報がアナウンスされたとしても曲の前になされてしまうこともある。したがって、聴取者は次にその曲が放送されるまで待たねばならず、さらには題名や演奏者のアナウンスが曲の終了後になされるのを願わなければならない。また、曲に関する情報がアナウンスされたとしても、そのような情報を書き留めておくことか難しいような状況（聴取者が自動車を運転していたり、あるいは単に書き留めるものが手元にないなどの状況）もあろう。」（第４頁左上欄第３行〜第１７行）
　
（イ）
「発明の要約
　１つの観点よれば、本発明は、ラジオやテレビから選択した放送番組や刊行物から選択した記事に関する補助情報をアクセスするための装置を示している。放送メディアから補助情報にアクセスするための装置は、メモリ、入力信号を受信する手段、入力信号ならびに入力信号を受信した時刻に応じて瞬時に番組識別情報を提供する手段、識別情報をメモリに記憶する手段とを備える。
　又、別の観点によれば、本発明は、視聴者と少なくとも１つの放送局との間で情報を通信しあうシステムを示している。システムは、局の放送番組に関する情報を記憶する電子番組情報検索システム、電子番組情報検索システムに接続され視聴者からの要求を受信する手段、要求に応じて電子番組情報検索システムから情報を取り出したり情報を視聴者に伝送したりする手段から構成される。この発明の実施例では、電子情報検索システムにおいて視聴者からの要求を番組の視聴者数を推定するデータとして収集する手法を示している。
　さらに他の観点によれば、本発明は、放送番組の受信機に関するものである。受信機は、さまざまな周波数の複数局の１つから放送番組を受信する手段、日付、時、分を連続的に表示する時計、放送番組を瞬時に識別する手段を備え、又、メモリを有し、ユーザからの入力信号を受信する手段、入力信号に応じて番組識別情報をメモリに記憶する手段を備える。ここで、番組識別情報は、入力信号を受信した時刻と番組を放送している局識別情報とを含む。」（第４頁左下欄第２４行〜同頁右下欄第１４行）
　
（ウ）
「好適な実施例の詳細な説明
　図１は、本発明の実施例である携帯用ラジオ／レコーダーユニット１００である。ユニット１００は従来のラジオとテープレコーダーとを備えている。ラジオはチューナを備え、振幅変調（ＡＭ）局や周波数変調（ＦＭ）局などのさまざまなラジオ局からの放送信号を受信する。また、オプションとして、ＦＭチューナにテレビ音声受信装置を付加することで、ユニット１００においてテレビ（ＴＶ）局からの音声信号を受信することも可能である（以下、「局」を「チャネル」と呼ぶこともある）。
　多くの今日のユニットと同様に、ユニット１００は時、分、秒で時刻を示す回路を有している。この際、時計が日、月、年などをも表示できると好ましい。時計の時間はディスプレイ１０１に表示される。
　多くの従来のユニットと同様に、ユニット１００は複数の局プリセットキーを有している。局プリセットキーによりユーザはある特定の局をメモリに選択的に保持することができ、単に局／刊行物プリセットキー１０２を押すだけでユニット１００はプリセット局の１つにチューニングされる。
　また、ユニット１００は２重トーン多重周波数（ＤＴＭＦ）信号を生成する回路をも備え、電話回線を介してメッセージを送信することができる。そのために、電話プラグを差し込むためのジャック１０３を備える。
　さらに、図２を参照して後述するが、ユニット１００はランダムアクセスメモリ（ＲＡＭ）を有し、各々が局プリセットの１つに対応する電話番号を複数個記憶している。
　ディスプレイ１０１としては、液晶ディスプレイ（ＬＣＤ）などの低消費電力のものが好ましい。なお、ディスプレイはチューニングした局の周波数や時刻を表示するために用いられることが多い。
　また、ユニット１００は、従来の磁気テープレコーダーＰＬＡＹＥＲを有する。」（第５頁左上欄第４行〜同頁右上欄第１行）
　
（エ）
「図２は、ユニット１００の内部デザインの概略ブロック図である。ユニット１００の動作は中央処理ユニット（ＣＰＵ）２０１によって制御される。（中略）
　ＣＰＵ２０１はランダムアクセスメモリ（ＲＡＭ）２０３とも接続されている。ＲＡＭ２０３はプリセット局や番組識別情報を保持するために用いられ、さらにディスプレイ１０１を動作させるなどの他の機能を実行するに際して、ＣＰU２０１のスクラッチパッドとしても用いられる。ここでは携帯用のユニット１００を想定しているため、少なくともＲＡＭ２０３の一部は電気的に消去可能なプログラマブル読み出し専用メモリ（ＥＥＰＲＯＭ）あるいは補助電源を有する揮発性メモリなどの不揮発性メモリで構築される。
　ＣＰＵ２０１はディスプレイ１０１を制御する表示制御ユニット２０４や、時刻を制御する時刻回路２０６にも接続されている。また、ユニット１００のディジタルチューナーはディジタルチューナー回路２０７を介してＣＰＵ２０１によって制御され、ユニット１００のテープレコーダーはテープレコーダー制御回路２１０を介してＣＰＵ２０１によって制御される。これらの回路の設計は専門家には既知の事柄であり、ここでは詳細な説明は省略する。
　なお、ヘッドホンやスピーカーに接続することのできるラジオ周彼数部や音声増幅器とＣＰＵ２０１とを接続することも可能である。
　ユニット１００は、従来のマイクロホンインタフェース２０５を介してＣＰＵ２０１に制御されるマイクロホンを備える。ＣＰＵ２０１は、回路２０８を介して電話や音響結合器２０８をも制御し、ＤＴＭＦ回路２０９を介してＤＴＭＦ生成／復号回路をも制御する。回路２０８を直接電話ジャック１０３に接続することも可能であり、ユニット１００の裏面に位置する音響結合器に接続することもできる。これらの装置は遠隔番組情報検索システム（ＰＩＲＳ）に接続したり、ＰＩＲＳから放送番組に関する補助情報を引き出すために用いられる。回路２０８と２０９に関しては、現在入手可能な設計のいずれでも良い。なお、図２にはこれらの装置をすべて図示しているが、すべてを必要とするわけではない。
　ＣＰＵ２０１は図１に示した複数の特殊キー、「放送情報」キー１１２、「ダイアル」キー１１４、「レビュー」キー１１３、「キャンセル」キー１１８、「中止」キー１１９、「印刷物情報」キー１１５、「選択」キー１１６、「セットアツプ」キー１１７、を制御して入力を受けつける。
　通常のラジオやレコーダーＰＬＡＹＥＲとしての機能に加えて、ユニット１００はユーザが知りたい放送番組の識別情報をすぐに提供することができる。この機能に関して、以下図３ａ−３ｂのフローチャートを参照しながら説明を加える。」（第５頁左下欄第４行〜同頁右下欄第１３行）
　
（オ）
「ユーザが「放送局」オプションを選択すると、ステップ４０２において図４ｂのようなメニューが表示される。このメニューでは、ユーザはカーソルキー９０を用いてプリセットキー１０２に対応する項目の１つを指定することができる。ユーザはカーソルキー９０を選択項目に位置させ、その後「選択」キー１１６を押す。続くステップ４０３において、ユーザが局の名前や周波数を入力すると、プリセットキー１０２は選択した局にセットされる。
　ステップ４０３において、ユーザは電話番号を入力することができる。電話番号は、局から放送される番組を保持している番組情報検索システムから、情報を検索する際に用いられる。ここで、電話番号は新聞（例えば、ＴＶ／ラジオ欄）やテレビガイドなどの刊行物において、テレビ／ラジオ局から提供されるものとしている。なお、電話番号は番組情報検索システムを自ら有している局自身の電話番号でも良いし、いくつかの局の放送番組スケジュール／情報をＰＩＲＳに保持している中央センターの電話番号でも良い。
　ステップ４０３でユーザが入力した名前、周波数、電話番号はＲＡＭ２０３の不揮発性の部位に記憶される。」（第６頁左上欄第５行〜第１９行）
　
（カ）
「ユーザはユニット１００を１つの局に合わせて、ヘッドホンを用いて放送を聞くことができる。局からの番組（音楽、実況、コマーシャルなど）がユーザにとって関心を引くものである場合には、「放送情報」キー１１２を押す。すると、ステップ４１１が実行され、ＣＰＵ２０１は局の識別情報を「放送情報」キー１１２が押された時刻とともにＲＡＭ２０３の不揮発性の部位に記憶する。
　局の識別は、放送周波数あるいは局名でなされる（名前ＫＫＧＯを検索するために１０５．１を用いるなど）。なお、視聴者にとっては局名の方が周波数よりも記憶しやすいため、局名を用いる方が有利であると思われる。
　ＲＡＭ２０３に保持された識別情報に基づいて、ユーザは識別された番組の補助情報を取り出すことができる。これは、モジュラーコネクターあるいは音響結合器を用いてユニット１００を電話につなげることで実行される。ユニット１００の電話への接続がなされたあと、ユーザは「レビュー」キー１１３を押すことができる。
　「レビュー」キー１１３が押されると、ＲＡＭ２０３に保持していた番組識別情報が取り出され（ステップ４１４）ディスプレイ１０１に表示される（ステップ４１５）。この際、情報を表示するフォーマットとして、いくつかのフォーマットを考えることができる。例えば、保持している識別情報を局ごとに表示することができる。このフォーマットの利点は、電話をかける前に１つの局の識別番組をチェックすることができる点である。他のフォーマットとして、日ごとに識別番組を表示するようなフォーマットを用いることもできる。このフォーマットによれば、ユーザはより容易に以前に指定した特定の番組を見つけ出すことができよう。
　以前に指定した番組が表示されたら、ユーザはカーソルキー９０を用いて補助情報を取り出したい番組あるいは局を選択する。番組あるいは局を選択すると、「ダイアル」キー１１４を押すことで、対応する電話番号が検索され（ステップ４１６）ダイアルされる（ステップ４１７）。電話が接続されると、ＣＰＵ２０１はＲＡＭ２０３から局識別情報を取り出し、ＤＴＭＦ生成／復号回路２０９を起動する。ＤＴＭＦトーンが生成されると、番組識別情報が局あるいは中央センターのＰＩＲＳに送信される（ステップ４１８）。番組識別情報を送信すると、ＣＰＵ２０１はＰＩＲＳから情報が送られてくるまで待機する（ステップ４１９）。」（第６頁右上欄第１１行〜同頁左下欄第１２行）
　
（キ）
「図５は、検索要求を受信したときのＰＩＲＳでの処理の流れを示すフローチャートである。
　検索要求を受信すると（ステップ５０１）、番組識別情報中の局識別番号を用いて当該局に対するデータ位置を求める（ステップ５０３）。（ＰＩＲＳが自局で閉じたシステムであればステップ５０３は必要ない）。
　ステップ５０４では、番組識別情報中の時刻が復号され識別番組が検索される。識別番組が特定されると、ＰＩＲＳにより補助情報が取り出される（ステップ５０５）。
　この際、ＰＩＲＳは検索要求の記録を作成することが望ましい。この記録は番組や局の人気や視聴者モニターデータなどを決定するための統計的資料として用いることができる（ステップ５０６）。
　ＰＩＲＳは補助情報をユーザに送信する前に、まずＤＴＭＦトーンをユニット１００に送信する（ステップ５０７）。このＤＴＭＦトーンはユニット１００のＤＴＭＦ生成部／復号回路２０９において受信され、ＣＰＵ２０１に割り込みがかけられる。回路２０９から割り込みがかけられると、ＣＰＵ２０１は回路２１０に制御されてテープレコーダーを起動させる。テープレコーダーが起動すると、信号がＰＩＲＳに送られ補助情報の伝送が開始される（ステップ５０８）。ＰＩＲＳから受信した補助情報は、ユニット１００のテープレコーダーに記録される。
　なお、補助情報が音楽選曲に関するものである場合には、アルバム、演奏者、曲名とともに、ユーザが曲名とメロディ−とを対応づけることができるように短い（１０秒程度）メロディ−も補助情報に含まれることになろう。このようなコンセプトは私のＵＳＰ５１１９５０７に記されている。一方、補助情報が広告に関するものである場合には、製品やサービスを補助情報と結び付けるために補助情報とともに広告の一部も含まれることになろう。
　伝送が終了すると、ＰＩＲＳはＤＴＭＦトーンをユニット１００に送信し、テープレコーダーの停止と電話回線の切断処理とを行う（ステップ５０９）。同時に、ユニット１００でも信号を生成して、ユーザに補助情報の受信が完了したことを知らせる。
　図３ａ−３ｂのフローチャートにおいて、補助情報の受信中にユーザが処理を中止する場合には、「中止」キー１１９を押すと電話回線が切断される（ステップ４２１）。
　「レビューキー」１１３を押して番組識別情報を表示しているとき、ユーザはＲＡＭ２０３から以前に記憶した識別番組を選択して削除することもできる。これは、まずカーソルキー９０で削除したい識別番組を選択し、続いて「キャンセルキー」１１８を押すことで行われ、選択された識別番組に対応する情報がＲＡＭ２０３から削除される（ステップ４２０）。
　伝送が終了すると、ユーザは補助情報を直接テープレコーダーから聞くことができる。あるいは、ＣＰＵ２０１がテープ上の信号を解釈して表示部１０１に表示するテキストデータを生成することも可能である。」（第６頁左下欄第１８行〜同頁右下欄第２８行）
　　
（ク）
「上述の実施例では、放送番組の識別情報はＤＴＭＦトーンとして送信できるように番号で記録されていた。しかし、ユニット１００がモデムを備えていれば、より詳細な番組識別情報の入カそしてＰＩＲＳへの送信が可能となり、ＰＩＲＳからユニット１００にテキスト情報の送信が可能となる。さらに、ユニット１００がモデムを備えている場合には、伝送されてきた情報をテープに記録する必要もなく、直接ＲＡＭ２０３に保持して表示部１０１に表示することもできる。
　なお、図１のような電卓に見られるキーをユニット１００に設けることもできる。この際には、ＣＰＵ２０１に演算機能を持たせ、ユニット１００を電卓として用いることができるようする。
　実際にはユーザがユニット１００を聞いている必要はなく、ユニット１００を選曲した放送局に合わせて他のラジオやテレビ（カーラジオなど）を聞いていても良い。すなわち興味をひいた番組があった時点で、「放送情報」キー１１２を押して番組を識別すれば良い。
　また、時計２０６はローカル時間にセットされていることが好ましい。１日に数回程度時報がローカル局から可聴ＤＴＭＦトーンで放送されていれば、内部ラジオ回路や、テープレコーダーのマイクロホンを用いて他のラジオからユニット１００の同期をとり、可聴トーンを検出して時報に時計をセットすることができる。」（第７頁左上欄第１４行〜同頁右上欄第３行）
　　
　したがって、上記引用例には、以下の発明（以下、「引用発明」という。）が記載されている。
　　
　「いくつかの局の放送番組スケジュール／情報を保持している遠隔番組情報検索システム（ＰＩＲＳ）と接続して情報を通信しあうＤＴＭＦ生成／復号回路と、
　前記ＤＴＭＦ生成／復号回路が、放送された番組（音楽など）の補助情報を検索するための番組識別情報を、電話回線を介して前記ＰＩＲＳに送信し、前記ＰＩＲＳから、前記番組識別情報に対応する放送時刻に放送された番組の補助情報を受信し、前記補助情報として、例えば補助情報が音楽選曲に関するものである場合には、曲名とメロディーを受信するように制御するＣＰＵと
　を備え、
　前記ＣＰＵは、前記曲名とメロディーをテープに記録するように制御する携帯用ラジオ／レコーダーユニット。」　
　　
（３）対比
　　
　本願補正発明と引用発明とを対比すると、引用発明に記載された「情報」、「放送」、「放送時刻」、「ＣＰＵ」及び「テープ」は、それぞれ本願補正発明の「情報」、「放送」、「放送時刻」、「制御手段」及び「記録媒体」に相当する。また、引用発明に記載された、いくつかの局の放送番組スケジュール／情報を保持している「遠隔番組情報検索システム（ＰＩＲＳ）」は、本願補正発明における「検索サーバ」に相当する。
　
　引用発明に記載された「ＤＴＭＦ生成／復号回路」は、前記ＰＩＲＳと接続して情報を通信しあう回路であるから、本願補正発明に記載された、検索サーバと情報の送受信を行う「通信手段」に相当する。
　
　引用発明に記載された「番組（音楽など）」は、放送された情報の内容であるから、本願補正発明における、放送された「コンテンツ」に相当する。また、引用発明に記載された、番組の「補助情報」は、上記引用例の記載事項（キ）を参照すると、例えばそれが音楽選曲に関するものである場合には、アルバム、演奏者、曲名とともに、ユーザが曲名とメロディ−とを対応づけることができるように短い（１０秒程度）メロディ−が含まれるものであって、番組に関連する情報であるから、本願補正発明におけるコンテンツの「関連情報」に相当する。
　
　引用発明に記載された「番組識別情報」は、放送された番組の補助情報を検索するための、前記ＰＩＲＳに送信する情報であるから、本願補正発明における、コンテンツの関連情報を検索するための、前記検索サーバに送信する「検索情報」に相当する。
　
　引用発明に記載された「電話回線」は、一般電話公衆回線網における任意の「電話回線」を意味すると解されるから、引用発明における当該「電話回線」は、本願補正発明における「ネットワーク」に相当する。
　
　引用発明において、前記ＤＴＭＦ生成／復号回路が、前記ＰＩＲＳから、前記番組識別情報に対応する放送時刻に放送された番組の補助情報を受信することは、本願補正発明において、前記通信手段が、前記検索情報に対応する放送時刻に放送された番組の関連情報を受信することと一致する。
　
　引用発明に記載された、前記ＰＩＲＳから受信する「曲名」及び「メロディー」は、前記番組が音楽である場合のタイトル及びその番組の情報の内容であるから、それぞれ本願補正発明における「コンテンツのタイトル」及び「コンテンツデータ」に相当する。
　
　引用発明において、前記ＣＰＵが、前記曲名とメロディーを前記テープに記録するように制御することは、本願補正発明において、制御手段が、前記コンテンツのタイトルとコンテンツデータを記録媒体に記録するように制御することと一致する。
　
　引用発明に記載された「携帯用ラジオ／レコーダーユニット」は、前記ＤＴＭＦ生成／復号回路と前記ＣＰＵを備えた、情報を処理する装置であるから、本願補正発明における「情報処理装置」に相当する。
　
　したがって、本願補正発明と引用発明は、以下の点で一致ないし相違する。
　　
＜一致点＞
　「検索サーバと情報の送受信を行う通信手段と、
　前記通信手段が、放送されたコンテンツの関連情報を検索するための検索情報を、ネットワークを介して前記検索サーバに送信し、前記検索サーバから、前記検索情報に対応する放送時刻に放送されたコンテンツのタイトルを含む関連情報を受信し、コンテンツデータとコンテンツのタイトルを受信するように制御する制御手段と
　を備え、
　前記制御手段は、コンテンツデータとコンテンツのタイトルを記録媒体に記録するように制御する
　ことを特徴とする情報処理装置。」
　　
＜相違点＞
　相違点１
　コンテンツデータとコンテンツのタイトルを受信する際の制御において、本願補正発明の制御手段は、受信した関連情報より選択された一の関連情報を検索サーバに送信するのに対し、引用発明における制御手段（ＣＰＵ）は、受信した関連情報より選択された一の関連情報を検索サーバに送信するとの記載はない点。
　
　相違点２
　制御手段が受信して、記録媒体に記録するコンテンツデータとコンテンツのタイトルは、本願補正発明では、前記一の関連情報に対応するものであるのに対し、引用発明では、一の関連情報に対応するものとの記載はない点。
　　
（４）当審の判断
　
　上記相違点１及び相違点２について検討する。
　音楽情報の曲名などを検索する検索システムの技術分野において、検索したい曲に関する情報を検索システムに入力し、当該検索システムから当該情報にマッチする複数の曲名のリストが提示され、提示された曲名リストの中から一の候補を選択する技術は、原査定時に引用された、Rodger J. McNab, Lloyd A. Smith, Ian H. Witten, Clare L. Henderson, and Sally Jo Cunningham, Towards the Digital Music Library: Tune Retrieval from Acoustic Input, Proceedings of the first ACM international conference on Digital libraries, １９９６年　４月, ｐ．１１−１８の第１７−１８頁における「A system for tune retrieval」のパラグラフ及び第５図、及び、同じく原査定時に引用された、福島俊一，平田恭二，蔭山哲也，“検索技術”，ＮＥＣ技報，１９９５年　１月２５日，第４８巻，第１号，ｐ．２４１−２４４の第２４３頁「４．メロディ（旋律情報）によるメディアナビゲーション」のパラグラフに記載されるように、本願出願前に周知の技術である。
　
　そして、引用発明に記載されたメロディーと曲名、すなわち、コンテンツデータとコンテンツのタイトルを受信する制御において、音楽情報の検索システムに係る上記周知技術を適用し、本願補正発明と同様に、受信した関連情報より選択された一の関連情報を検索サーバに送信する構成とすること、また、引用発明に記載された制御手段が受信して、記録媒体に記録するコンテンツデータとコンテンツのタイトルは、前記一の関連情報に対応するものとすることは、当業者が容易になし得ることである。
　
　また、本願補正発明のように構成したことによる効果も、上記引用発明及び周知技術から予測できる程度のものである。
　　
　よって、本願補正発明は、上記引用発明及び周知技術に基づいて当業者が容易に発明をすることができたものであるから、特許法第２９条第２項の規定により特許を受けることができない。
　　
（５）むすび
　　
　したがって、本願補正発明は、上記（４）で示したとおり、特許出願の際独立して特許を受けることができないから、本件補正は、平成１８年法律第５５号改正附則第３条第１項によりなお従前の例によるとされる同法による改正前の特許法第１７条の２第５項で準用する同法第１２６条第５項の規定に違反するものであり、同法第１５９条第１項において読み替えて準用する同法第５３条第１項の規定により却下すべきものである。
　　
　　
３．本願発明
　　
　平成１８年８月２２日付けの手続補正は上記のとおり却下されたので、本願の請求項１０に係る発明（以下、「本願発明」という。）は、平成１８年５月２９日付け手続補正書の特許請求の範囲の請求項１０に記載された事項により特定される、以下のとおりのものである。
　　
　「【請求項１０】　検索サーバと情報の送受信を行う通信手段と、
　前記通信手段が、放送されたコンテンツの関連情報を検索するための検索情報を、ネットワークを介して前記検索サーバに送信し、前記検索サーバから、前記検索情報に対応する放送時刻に放送されたコンテンツのタイトルを含む関連情報を受信し、前記関連情報より選択された一の関連情報を前記検索サーバに送信し、前記検索サーバから、前記一の関連情報に対応するコンテンツデータを受信するように制御する制御手段と
　を備えることを特徴とする情報処理装置。」
　　
４．当審の判断
　　
（１）引用例
　　　
　原査定の拒絶の理由に引用された引用例に関する記載事項は、前記「２．（２）」に記載したとおりである。
　　
（２）対比・判断
　　
　本願発明は、前記２．で検討した本願補正発明における「制御手段」において、「コンテンツデータとコンテンツのタイトルを受信するように制御する」との記載を、「コンテンツデータを受信するように制御する」と記載したことにより限定を省いたものであり、また、当該「制御手段」について、「前記制御手段は、前記一の関連情報に対応するコンテンツデータとコンテンツのタイトルを記録媒体に記録するように制御する」との限定を省いたものである。
　
　そうすると、本願発明の構成要件を全て含み、さらに他の構成要件を付加したものに相当する本願補正発明が、前記「２．（４）」に記載したとおり、上記引用発明及び周知技術に基づいて、当業者が容易に発明をすることができたものであるから、本願発明も、同様の理由により、上記引用発明及び周知技術に基づいて、当業者が容易に発明をすることができたものである。
　　
５．むすび
　　
　以上のとおり　本願発明は、上記引用発明及び周知技術に基づいて、当業者が容易に発明をすることができたものであるから、特許法第２９条第２項の規定により特許を受けることができない。
　したがって、本願は、他の請求項について論及するまでもなく、拒絶すべきものである。
　　
　よって結論のとおり審決する。